(57)【要約】【課題】  フロントサイドパネルとフロントパネルとの間隙やフロントサイドパネルとドアとの間隙に起因して騒音が発生した場合であっても、係る騒音の車室内への伝達を、簡単な構造によって確実に低減させることが可能な車両前部構造の提供。【解決手段】  フロントサイドパネル５の内面は、フロントピラー２の前面領域８との間で前方空間１８を、側面領域９との間で側方空間１９をそれぞれ区画する。前方空間１８と側方空間１９とは、上下方向の所定範囲で連通する。吸音材６は、遮蔽部２３と延設部２４とを有し、フロントサイドパネル５の内面上に配置される。遮蔽部２３は前方空間１８と側方空間１９との連通部分を上記所定範囲に亘って遮蔽し、延設部２４は遮蔽部２３からドア４に向かって延びる。【選択図】  図２
2006205760.tif 000002
【特許請求の範囲】
【請求項１】
車両前端の車幅方向端部に配置され、車幅方向に沿った前面領域と当該前面領域から車両後方へ曲折された側面領域とを有するフロントピラーと、
前記フロントピラーの前記前面領域の車幅方向内側に配置されるフロントパネルと、
前記フロントピラーの前記側面領域の車両後方に配置されるドアと、
前記フロントパネルに近接する前端部と前記ドアに近接する後端部とを有し、前記フロントピラーの前面領域及び側面領域の外側を覆うフロントサイドパネルと、
前記フロントピラーと前記フロントサイドパネルとの間で、該フロントサイドパネルの内面上に配置される吸音材と、を備え、
前記フロントサイドパネルの前端部と前記フロントパネルとの間及び前記フロントサイドパネルの後端部と前記ドアとの間には、それぞれ間隙が形成され、
前記フロントサイドパネルの内面は、前記フロントピラーの前記前面領域との間で前方空間を区画すると共に、前記側面領域との間で側方空間を区画し、
前記前方空間と前記側方空間とは、上下方向の所定範囲で連通し、
前記吸音材は、前記前方空間と前記側方空間との連通部分を前記所定範囲に亘って遮蔽する遮蔽部と、当該遮蔽部から前記ドアに向かって延びる延設部とを有する
ことを特徴とする車両前部構造。
【発明の詳細な説明】
【技術分野】
【０００１】
本発明は、車両前部構造に関する。
【背景技術】
【０００２】
キャブオーバトラック等の車両において、フロントピラーの外側にフロントサイドパネルを設けた構造が知られている。係る構造では、フロントサイドパネルの前端部は、フロントピラーの車幅方向内側に配置されたフロントパネルに近接し、フロントサイドパネルの後端部は、フロントピラーの後方に配置されたドアに近接する。また、フロントサイドパネルの前端部とフロントパネルとの間には前方の間隙が形成され、フロントサイドパネルの後端部とドアとの間には後方の間隙が形成されている。
【０００３】
【特許文献１】実開平７−２８７８１号公報
【発明の開示】
【発明が解決しようとする課題】
【０００４】
上記構造では、車両の走行時において、フロントパネルに当たった走行風は、主にフロントサイドパネルの外面からドアパネルの外面に沿って後方へ流通する。
【０００５】
このとき、前方の間隙では、走行風の流れ自体が有する音響エネルギーの変動や微小な間隙に風が流入する際の流れの乱れに起因して騒音が発生する。また、前方の間隙から流入した空気は、フロントパネルとフロントサイドパネルとに区画された内部空間を通り、ドアの前方の空間（以下、ドア前方空間と称する）へ流れる。このため、前方の間隙で発生した騒音は、フロントパネルとフロントサイドパネルとの間の内部空間を伝播し、ドア前方空間へ伝達される。また、後方の間隙においても、前方の間隙と同様の理由によって騒音が発生し、発生した騒音がドア前方空間に伝達される。従って、ドア前方空間の音圧が上昇して騒音が増大する。そして、増大した騒音は、ドア前方空間と連通する車室内に伝達されるため、車室内の静粛性が低下し、乗員に対して違和感を与えてしまう可能性が生じる。
【０００６】
ここで、上記不都合は、ドアとフロントピラーとの間にシール部材を設けることによって緩和することが可能である。しかし、開閉移動するドアとフロントピラーとの間を完全に密閉することは難しく、車室内への騒音の伝達を完全に遮断することはできない。
【０００７】
本発明は、上述の課題に鑑みてなされたものであり、フロントサイドパネルとフロントパネルとの間隙やフロントサイドパネルとドアとの間隙に起因して騒音が発生した場合であっても、係る騒音の車室内への伝達を、簡単な構造によって確実に低減させることが可能な車両前部構造の提供を目的とする。
【課題を解決するための手段】
【０００８】
上記課題を解決するため、本発明に係る車両前部構造は、フロントピラーと、フロントパネルと、ドアと、フロントサイドパネルと、吸音材と、を備える。
【０００９】
フロントピラーは、車両前端の車幅方向端部に配置される。フロントピラーは、車幅方向に沿った前面領域と、前面領域から車両後方へ曲折された側面領域と、を有する。フロントパネルは、フロントピラーの前面領域の車幅方向内側に配置される。ドアは、フロントピラーの側面領域の車両後方に配置される。フロントサイドパネルは、前端部と後端部とを有する。前端部はフロントパネルに近接し、後端部はドアに近接する。フロントサイドパネルは、フロントピラーの前面領域及び側面領域の外側を覆う。吸音材は、フロントピラーとフロントサイドパネルとの間で、フロントサイドパネルの内面上に配置される。
【００１０】
フロントサイドパネルの前端部とフロントパネルとの間には、前方の間隙が形成される。フロントサイドパネルの後端部とドアとの間には、後方の間隙が形成される。フロントサイドパネルの内面は、フロントピラーの前面領域との間で前方空間を区画すると共に、側面領域との間で側方空間を区画する。前方空間と側方空間とは、上下方向の所定範囲で連通する。吸音材は、遮蔽部と延設部とを有する。遮蔽部は、前方空間と側方空間との連通部分を上記所定範囲に亘って遮蔽する。延設部は、遮蔽部からドアに向かって延びる。
【００１１】
上記構成では、車両の走行時において、フロントパネルに当たった走行風は、主にフロントサイドパネルの外面からドアパネルの外面に沿って後方へ流通する。
【００１２】
このとき、前方の間隙では、走行風の流れ自体が有する音響エネルギーの変動や微小な間隙に風が流入する際の流れの乱れに起因して騒音が発生する。
【００１３】
ここで、フロントサイドパネルの内面とフロントピラーの前面領域とは前方空間を区画し、フロントサイドパネルの内面とフロントピラーの側面領域とは側方空間とを区画し、前方空間と側方空間とは、上下方向の所定範囲で連通するが、この前方空間と側方空間との連通部分は、吸音材の遮蔽部により上記所定範囲に亘って遮蔽されている。このため、前方の間隙から前方空間へ流入した空気の側方空間への流通は、吸音材の遮蔽部によって著しく低減又は阻止される。また、吸音材の遮蔽部によって、前方空間の音響エネルギーが吸収される。従って、前方の間隙に起因して発生した騒音が側方空間へ伝達されることを確実に抑制することができる。
【００１４】
また、後方の間隙においても、前方の間隙と同様の理由によって騒音が発生し、発生した騒音は側方空間へ伝播される。しかし、この側方空間を区画するフロントサイドパネルの内面上には、ドアに向かって延びる吸音材の延設部が配置されているため、この吸音材の延設部によって側方空間の音響エネルギーが吸収される。
【００１５】
従って、フロントサイドパネルの内面上に吸音材を配置するという簡単な構造により、側方空間における音圧の上昇（騒音の増大）を良好に抑制することができる。このため、前方及び後方の間隙に起因して騒音が発生した場合であっても、係る騒音の車室内への伝達を確実に低減させることができる。
【発明の効果】
【００１６】
本発明によれば、フロントサイドパネルとフロントパネルとの間隙やフロントサイドパネルとドアとの間隙に起因して騒音が発生した場合であっても、係る騒音の車室内への伝達を、簡単な構造によって確実に低減させることができ、車室内の静粛性が向上する。
【発明を実施するための最良の形態】
【００１７】
以下、本発明の一実施形態を図面に基づいて説明する。
【００１８】
図１は本発明の一実施形態に係るキャブオーバトラックの車両前部構造を示す外観斜視図、図２は図１のII−II矢視断面図、図３は吸音材を有さない構造における走行風の状態を模式的に示す断面図、図４は図２の構造における走行風の状態を模式的に示す断面図、図５は図１の構造からフロントサイドパネルを除いた状態を示す外観斜視図である。なお、図中ＦＲは車両前方を、ＩＮは車内側を、ＵＰは車両上方をそれぞれ示している。
【００１９】
図１及び図２に示すように、本実施形態に係るキャブオーバトラック１の車両前部構造は、フロントピラー２と、フロントパネル３と、ドア４と、フロントサイドパネル５と、シート状の吸音材６と、を備える。
【００２０】
フロントピラー２は、車両前端の車幅方向端部で上下方向に配置されている。フロントピラー２の下部骨格７は、車幅方向に沿った前面領域８と、前面領域８の車幅方向外端から車両後方へ曲折された側面領域９と、側面領域９の後端から車幅方向内側へ曲折された後面領域１０と、を有する。
【００２１】
フロントパネル３は、フロントピラー２の前面領域８の車幅方向内側で、車幅方向に沿って配置されている。フロントパネル３は、フロントピラー２の前面領域８よりも前方に位置する一般部３ａと、この一般部３ａの車幅方向外端から後方へ曲折されて前面領域８の前端部８ａに接合される車幅方向両端の端部３ｂと、を有する。
【００２２】
ドア４は、ドアアウタパネル１１とドアインナパネル１２とを有し、フロントピラー２の側面領域９の車両後方で、車両前後方向に沿って配置されている。ドアアウタパネル１１は、側面領域９よりも車幅方向外側に位置する。ドアインナパネル１２は、ドアアウタパネル１１と対向する一般部１２ａと、一般部１２ａの前端から曲折されてアウタパネル１１の前端に接合される前方の側壁部１２ｂと、一般部１２ａの後端から曲折されてアウタパネル１１の後端に接合される後方の側壁部（図示外）と、を有する。ドアインナパネル１２の側壁部１２ｂは、フロントピラー２の後面領域１０にヒンジ部材１３（図５に示す）を介して接続されている。これにより、ドア４は、フロントピラー２に回転自在に支持されて車室内２０を開閉する。
【００２３】
フロントサイドパネル５は、フロントピラー２の前面領域８及び側面領域９の外側を覆うように車体に対して取り付けられている。フロントサイドパネル５は湾曲板形状を有し、その前方外面は、フロントパネル３の一般部３ａの外面と連続し、後方外面は、ドア４のドアアウタパネル１１の外面とを連続する。
【００２４】
フロントサイドパネル５の前端部５ａは、フロントパネル３の一般部３ａの車幅方向外端に近接し、この一般部３ａとの間で前方の間隙１４を形成する。フロントサイドパネル５の後端部５ｂは、ドアアウタパネル１１の前端に近接し、このドアアウタパネル１１との間で後方の間隙１５を形成する。係る間隙１４，１５は、車体に対するフロントサイドパネル５の組み付け誤差を吸収するため、必要最小限の大きさが確保されている。なお、フロントサイドパネル５の後端部５ｂには、間隙１５からの異物（水等）の進入を阻止するためのオープニングシール１６が設けられている。
【００２５】
フロントサイドパネル５の内面は、フロントピラー２の前面領域８との間で前方空間１８を区画すると共に、側面領域９との間で側方空間１９を区画する。
フロントサイドパネル５は、フロントピラー２の下部骨格７のうち前面領域８と側面領域９の間の曲折部分２１と最も近接し、前方空間１８と側方空間１９とは、この曲折部分２１とフロントサイドパネル５との間の上下方向の所定範囲で連通する。前方空間１８は、前方の間隙１４を介して外部と連通し、側方空間１９は、後方の間隙１５を介して外部と連通する。さらに、側方空間１９は、ドアインナパネル１２の側壁部１２ｂとフロントピラー２の後面領域１０との間の間隙２２を介して、車室内２０と連通している。なお、フロントピラー２の後面領域１０には、間隙２２を閉塞するためのシール部材１７が取り付けられている。
【００２６】
吸音材６は、発泡ウレタンやフェルト材等から形成されている。吸音材６は、遮蔽部２３と延設部２４とを有し、フロントピラー２とフロントサイドパネル５との間で、フロントサイドパネル５の内面上に配置されている。遮蔽部２３は、フロントピラー２の曲折部分２１とフロントサイドパネル５とに挟まれて圧縮され、前方空間１８と側方空間１９との連通部分をほぼ全域に亘って遮蔽する。圧縮力を受けていない状態での遮蔽部２３の厚さは、フロントピラー２の曲折部分２１とフロントサイドパネル５と間隙幅（フロントピラー２とフロントサイドパネル５との最接近幅）よりも大きく設定されており、例えばこの間隙幅の１．５倍程度が好ましい。延設部２４は、遮蔽部２３からドア４に向かって延びており、延設部２４の後端は後方の間隙１５の近傍に達する。延設部２４は、フロントサイドパネル５の内面のうち側方空間１９を区画する領域に一様に設けられている。
【００２７】
なお、吸音材６の形状は、シート状に限定されるものではない。また、吸音材６は、予め所定形状に形成した後にフロントサイドパネル５の内面上に固定してもよく、液状のままフロントサイドパネル５の内面上に塗りつけて固化させてもよい。吸音材６を予め所定形状に形成しておく場合、フロントサイドパネル５の組み付け時に、吸音材６の遮蔽部２３をフロントピラー２の曲折部分２１とフロントサイドパネル５との間に挟み込むことにより、吸音材６を所定位置に固定してもよいが、フロントサイドパネル５の組み付け作業性や延設部２４の移動防止等を考慮すると、吸音材６をフロントサイドパネル５の内面上に予め固定する方が好ましい。吸音材６の固定方法としては、接着材や両面テープを用いて貼着する方法や、フロントサイドパネル５の内面にクリップ嵌合用穴（図示外）を形成し、吸音材６にクリップ挿通用穴（図示外）を形成し、クリップ（図示外）をクリップ挿通用穴に挿通させてクリップ嵌合用穴に嵌合する方法など、様々な方法を用いることができる。
【００２８】
次に、本実施形態の作用を、吸音材６を有さない構造の場合と比較して説明する。
【００２９】
吸音材６を有さない構造（図３に示す）及び本実施形態の構造（図４に示す）の双方ともに、車両の走行時において、フロントパネル３に当たった走行風Ｗは、主にフロントサイドパネル５の外面からドアアウタパネル１１の外面に沿って後方へ流通する。このとき、前方の間隙１４では、走行風Ｗの流れ自体が有する音響エネルギーの変動や微小な間隙に風が流入する際の流れの乱れに起因して騒音が発生する。また、後方の間隙１５においても、前方の間隙１４と同様の理由によって騒音が発生する。
【００３０】
ここで、図３に示すような吸音材６を有さない構造では、前方の間隙１４から流入した空気は、前方空間１８から側方空間１９へ流通する。このため、前方の間隙１４で発生した騒音は、前方空間１８から側方空間１９へ伝播する。さらに、側方空間１９には、後方の間隙１５で発生した騒音も伝達されるため、側方空間１９の音圧が上昇して騒音が増大する。そして、増大した騒音は、側方空間１９と間隙２２を介して連通する車室内２０に伝達される。なお、間隙２２にはシール部材１７が設けられているが、係るシール部材１７によって、開閉移動するドア４とフロントピラー２との間を完全に密閉することは難しく、車室内２０への騒音の伝達を完全に遮断することはできない。
【００３１】
これに対し、本実施形態では、図４に示すように、前方空間１８と側方空間１９との連通部分は、吸音材６の遮蔽部２３によりほぼ全域に亘って遮蔽されている。このため、前方の間隙１４から前方空間１８へ流入した空気の側方空間１９への流通は、吸音材６の遮蔽部２３によって著しく低減又は阻止される。また、吸音材６の遮蔽部２３によって、前方空間１８の音響エネルギーが吸収される。従って、前方の間隙１４に起因して発生した騒音が側方空間１９へ伝達されることを確実に抑制することができる。
【００３２】
また、後方の間隙１５で発生した騒音は側方空間１９へ伝播されるが、この側方空間１９の音響エネルギーは、フロントサイドパネル５の内面上に設けられた吸音材６の延設部２４によって吸収される。
【００３３】
特に、車室内２０を区画構成するドア４を擁する側方空間１９において延設部２４を設けるように構成したことで、前方空間１８にて発生し遮蔽部２３で遮断しきれなかった騒音と後方の間隙１５に起因する騒音とを、車室内２０に伝達される前に側方空間１９にて確実に吸収することができる。
【００３４】
従って、フロントサイドパネル５の内面上に吸音材６を配置するという簡単な構造により、側方空間１９における音圧の上昇（騒音の増大）を良好に抑制することができる。このため、前方及び後方の間隙１４，１５に起因して騒音が発生した場合であっても、係る騒音の車室内２０への伝達を確実に低減させることができ、車室内２０の静粛性の向上を図ることができる。
【００３５】
また、フロントピラー２の下部骨格７やフロントサイドパネル５に対して、特別な加工を施す必要がないため、コストの上昇を抑えることができる。
【００３６】
また、側方空間１９を区画する部材のうち、フロントピラー２の下部骨格７の外面には、図５に示すようにドア４を開閉自在に支持するヒンジ部材１３やハーネス２５などが配置されており、吸音材を配置可能なスペースが限定される。これに対し、本実施形態では、側方空間１９を区画する部材のうち、フロントサイドパネル５の内面上に吸音材６を配置しているので、側方空間１９の広い範囲に吸音材６（延設部２４）を一様に配置することができ、側方空間１９における音圧の上昇（騒音の増大）を一段と良好に抑制することができる。
【００３７】
さらに、吸音材６をフロントサイドパネル５の内面上に予め固定した後、フロントサイドパネル５を車体に組み付けることにより、フロントサイドパネル５の組み付け作業性を損なうことなく、吸音材６を所望の位置に確実に配置することができる。
【産業上の利用可能性】
【００３８】
本発明は、フロントピラーとフロントパネルとドアとフロントサイドパネルとを備えた様々な車両の前部構造に適用することができる。
【図面の簡単な説明】
【００３９】
【図１】本発明の一実施形態に係るキャブオーバトラックの車両前部構造を示す外観斜視図である。
【図２】図１のII−II矢視断面図である。
【図３】吸音材を有さない構造における走行風の状態を模式的に示す断面図である。
【図４】図２の構造における走行風の状態を模式的に示す断面図である。
【図５】図１の構造からフロントサイドパネルを除いた状態を示す外観斜視図である。
【符号の説明】
【００４０】
１：キャブオーバトラック（車両）
２：フロントピラー
３：フロントパネル
４：ドア
５：フロントサイドパネル
５ａ：フロントサイドパネルの前端部
５ｂ：フロントサイドパネルの後端部
６：吸音材
７：下部骨格
８：前面領域
９：側面領域
１１：ドアアウタパネル
１２：ドアインナパネル
１４：前方の間隙
１５：後方の間隙
１８：前方空間
１９：側方空間
２３：遮蔽部
２４：延設部
【図１】
2006205760.tif 000003
【図２】
2006205760.tif 000004
【図３】
2006205760.tif 000005
【図４】
2006205760.tif 000006
【図５】
2006205760.tif 000007